(57)【特許請求の範囲】
【請求項１】
ボックス本体とトレイとを有し、
前記ボックス本体は横断面四角形の筒状であって供給口と取出口とを有し、上部に前記供給口を有し、前記取出口は下部に設けられ、
前記トレイは支持板と蓋板と背板とを有し前記ボックス本体の内部に前記供給口から取出し可能に収容され、前記支持板は、所定の長さのトイレットペーパーを前記取出口の幅以下の幅で前記ボックス本体の奥行以下の折り返し長さに折り畳んで成る複数のトイレットペーパー片を上下に重ねて支持可能であって、前記ボックス本体の正面との間に間隔をあけて前記取出口から最下部のトイレットペーパー片を取り出し可能に位置付けられ、前記蓋板は前記ボックス本体の上縁部で支持されて前記供給口を塞いでおり、前記背板は前記支持板と前記蓋板とを互いに平行に間隔をあけて連結していることを、
特徴とするトイレットペーパーボックス。
【発明の詳細な説明】
【技術分野】
【０００１】
本発明は、トイレットペーパーボックスに関する。
【背景技術】
【０００２】
一般的なトイレでは、ロール状のトイレットペーパーをトイレットペーパーホルダーに取り付けて使用している。ロール状のトイレットペーパーは、１回分をトイレットペーパーホルダーのカバーで切り取って使用される。しかし、１回ごとにトイレットペーパーを切り取るのは手間がかかるうえ、片手だけで切り取ろうとすると、切り取りにくいという問題があった。そこで、この問題を解決するため、折り畳んだトイレットペーパー片を複数枚積み重ねたものが提案されている（例えば、特許文献１、２参照）。
【０００３】
【特許文献２】特開平９−１５４７６５号公報
【特許文献１】特開２００２−２２３９８４号公報
【発明の開示】
【発明が解決しようとする課題】
【０００４】
しかしながら、特許文献１に記載のトイレットペーパー用の容器は、使い捨てであり、資源が無駄になるという課題があった。また、特許文献２に記載のトイレットペーパー用のケースは、折り畳んで積み重ねられたトイレットペーパー片を剥き出しの状態で置いておくため、トイレットペーパー片が濡れたり崩れてバラバラになったりしやすいという課題があった。
【０００５】
本発明は、このような従来の課題に着目してなされたもので、使いやすく、資源を有効に利用することができ、また、トイレットペーパー片が濡れたりバラバラになったりするのを防ぐことができるトイレットペーパーボックスを提供することを目的としている。
【課題を解決するための手段】
【０００６】
上記目的を達成するために、本発明に係るトイレットペーパーボックスは、ボックス本体とトレイとを有し、前記ボックス本体は横断面四角形の筒状であって供給口と取出口とを有し、上部に前記供給口を有し、前記取出口は下部に設けられ、前記トレイは支持板と蓋板と背板とを有し前記ボックス本体の内部に前記供給口から取出し可能に収容され、前記支持板は、所定の長さのトイレットペーパーを前記取出口の幅以下の幅で前記ボックス本体の奥行以下の折り返し長さに折り畳んで成る複数のトイレットペーパー片を上下に重ねて支持可能であって、前記ボックス本体の正面との間に間隔をあけて前記取出口から最下部のトイレットペーパー片を取り出し可能に位置付けられ、前記蓋板は前記ボックス本体の上縁部で支持されて前記供給口を塞いでおり、前記背板は前記支持板と前記蓋板とを互いに平行に間隔をあけて連結していることを、特徴とする。
【０００７】
本発明に係るトイレットペーパーボックスは、複数のトイレットペーパー片をボックス本体の内部に収納して使用するため、トイレットペーパー片が濡れたりバラバラになったりしにくい。また、トレイがボックス本体に取出し可能に収容されているため、トイレットペーパー片がなくなったとき、ボックス本体からトレイを外し、トレイに新たなトイレットペーパー片を載せて供給口からボックス本体の内部に収納することができる。これににより、トイレットペーパー片の補充が容易にできる。このように、トイレットペーパー片を補充して使用できるため、使い捨ての場合に比べて資源の有効利用を図ることができる。
【０００８】
また、本発明に係るトイレットペーパーボックスは、ボックス本体の内部に収納されたトイレットペーパー片を取出口から一枚ずつ取り出して使用することができるため、ロール状のトイレットペーパーに比べて切り取る手間を省くことができ、使いやすい。なお、トイレットペーパー片は１回の使用量に適した長さであることが好ましい。これにより、片手だけで容易に使用可能となる。
【０００９】
本発明に係るトイレットペーパーボックスは、蓋板で供給口が塞がれているため、内部のトイレットペーパー片が濡れたり汚れたりしにくく、また、外部からトイレットペーパー片が見えにくいため、トイレットペーパー片が大量に持ち去られ難い。
【００１０】
本発明に係るトイレットペーパーボックスは、支持板がボックス本体の正面との間に間隔をあけて位置付けられているので、最下部のトイレットペーパー片の正面側の端部が自重で垂れ下がり、トイレットペーパー片を引張って取り出すのが容易である。
また、蓋板がボックス本体の上縁部で支持され、蓋板が背板で支持板と連結されているので、蓋板を持ち上げることにより支持板を持ち上げることができ、トイレットペーパー片の補充が容易である。
さらに、ボックス本体の内部でトイレットペーパー片が詰まった場合には、蓋板を持って軽く揺することにより、背板に沿ってトイレットペーパー片が揃い、詰まりを直すことができる。
【００１１】
トイレットペーパー片は、帯状のトイレットペーパーを折り畳んで成っていても、シート状のトイレットペーパーを折り畳んで成っていても、折り畳まれたティッシュペーパーから成っていてもよい。
各トイレットペーパー片は、ボックス本体の内部に収容したとき取出口から引っ張って取外し可能なテープで巻いて束にしてあってもよい。この場合、ボックス本体への補充が容易となる。
【発明の効果】
【００１２】
本発明によれば、使いやすく、資源を有効に利用することができ、また、トイレットペーパー片が濡れたりバラバラになったりするのを防ぐことができるトイレットペーパーボックスを提供することができる。
【発明を実施するための最良の形態】
【００１３】
以下、図面に基づき、本発明の実施の形態について説明する。
図１乃至図４は、本発明の実施の形態のトイレットペーパーボックスを示している。
図１に示すように、トイレットペーパーボックス１は、ボックス本体２と複数のトイレットペーパー片３とトレイ４とを有している。
【００１４】
図１および図２に示すように、ボックス本体２は、所定の幅、奥行および高さを有する直方体状の外形を成している。ボックス本体２は、上部に供給口１１を有し、下部に取出口１２を有して横断面四角形の筒状に形成されている。ボックス本体２は、高さ、幅、奥行の順に長く形成され、最も大きな面の一方を正面１３として、縦長に形成されている。取出口１２は、ボックス本体２の正面１３の下部から底面にかけて設けられ、ボックス本体２の幅方向いっぱいに伸びている。ボックス本体２は、正面１３の下部に取出口１２と連続した半円状の切込部１４を有している。
【００１５】
図４に示すように、各トイレットペーパー片３は、水溶性で、取出口１２の幅以下の幅で所定の長さの帯状のトイレットペーパーを、ボックス本体２の奥行以下の折り返し長さに折り畳んで成っている。
【００１６】
図１および図３に示すように、トレイ４は、蓋板１５と支持板１６と背板１７とを有している。背板１７は、蓋板１５と支持板１６とを互いに対向するよう平行に間隔をあけて連結する。蓋板１５は、ボックス本体２の供給口１１より僅かに大きい矩形板状を成している。支持板１６は、ボックス本体２の取出口１２の幅と同じ長さの長辺と、取出口１２の奥行きより短い短辺とから成る矩形板状を成している。蓋板１５は、ボックス本体２の上縁部で支持される。背板１７は、蓋板１５および支持板１６に対して垂直を成して、蓋板１５および支持板１６が同じ面側に伸びるよう、蓋板１５および支持板１６の対応する一方の長辺同士を連結している。蓋板１５と支持板１６とは、ボックス本体２の高さと同じ間隔をあけて配置される。トレイ４は、蓋板１５の上面に、背板１７と同じ側の長辺に沿って設けられた突板１８を有している。突板１８は、蓋板１５に対して垂直に設けられ、上縁が円弧状に形成されている。
【００１７】
図４に示すように、トレイ４は、支持板１６の上に複数のトイレットペーパー片を上下に重ねて支持し、蓋板１５と支持板１６との間に積み重ねたトイレットペーパー片３を保持可能となっている。図１に示すように、トレイ４は、支持板１６からボックス本体２の供給口１１に挿入して、支持板１６および背板１７がボックス本体２の内部に収納される。トレイ４は、ボックス本体２に取り付けられたとき、背板１７がボックス本体の背面側の内壁面と重なり、支持板１６で取出口１２の背面側を塞ぎ、蓋板１５で供給口１１を塞ぐ。トレイ４は、ボックス本体２の内部に供給口１１から取出し可能に収容される。トレイ４は、ボックス本体２の内部で支持板１６に載った最下部のトイレットペーパー片３を取出口１２から取り出し可能に位置付けられる。
【００１８】
次に、作用について説明する。
トイレットペーパーボックス１は、例えば、ボックス本体２をトイレの壁に固定して使用される。トイレットペーパーボックス１は、複数のトイレットペーパー片３をボックス本体２の内部に収納して使用するため、トイレットペーパー片３が濡れたりバラバラになったりしにくい。また、トレイ４がボックス本体２に着脱可能に設けられているため、トイレットペーパー片３がなくなったとき、突板１８を持ってトレイ４を引き上げて、ボックス本体２からトレイ４を外し、トレイ４に新たなトイレットペーパー片３を保持させて供給口１１からボックス本体２の内部に収納することにより、容易にトイレットペーパー片３を補充することができる。このように、トイレットペーパー片３を補充しながら、ボックス本体２およびトレイ４を繰り返し使用できるため、使い捨ての場合に比べて資源の無駄遣いを減らすことができ、資源を有効に利用することができる。
【００１９】
ボックス本体２の内部に収納されたトイレットペーパー片３を一枚ずつ取り出して使用することができるため、ロール状のトイレットペーパーを使用するときの切り取る手間を省くことができ、使いやすい。取出口１２がボックス本体２の正面１３の下部から底面にかけて設けられているため、トイレットペーパー片３をボックス本体２の正面１３の側から容易に取り出すことができる。また、図１に示すように、最下部のトイレットペーパー片３ａの端部が自重で取出口１２の外に垂れ下がるため、その垂れ下がったトイレットペーパー片３ａの端部を引っ張ることにより、各トイレットペーパー片３を容易に取り出すことができる。各トイレットペーパー片３がボックス本体２の内部で高さ方向に積み重ねて収納されているため、最下部から順に最後の一枚まで容易に取り出すことができる。
【００２０】
トイレットペーパーボックス１は、蓋板１５で供給口１１が塞がれているため、ボックス本体２の内部のトイレットペーパー片３が濡れたり汚れたりしにくい。また、トレイ４の取出し方がわかりにくく、外部からトイレットペーパー片３が見えにくいため、トイレットペーパー片３が大量に持ち去られ難い。
さらに、ボックス本体２の内部でトイレットペーパー片３が詰まった場合には、蓋板１５を持って軽く揺することにより、背板１７に沿ってトイレットペーパー片３が揃い、詰まりを直すことができる。
【００２１】
なお、各トイレットペーパー片３は、複数を積み重ね、ボックス本体２の内部に収納されたとき、取出口１２から引っ張って取外し可能なテープで巻いて束にして成っていてもよい。この場合、トレイ４により束ごとボックス本体２の内部に収納し、テープを取出口１２から引っ張って取り外すことにより、容易に使用可能な状態にセットすることができ、補充が容易である。
【図面の簡単な説明】
【００２２】
【図１】本発明の実施の形態のトイレットペーパーボックスを示す斜視図である。
【図２】図１に示すトイレットペーパーボックスのボックス本体を示す斜視図である。
【図３】図１に示すトイレットペーパーボックスのトレイを示す斜視図である。
【図４】図１に示すトイレットペーパーボックスのトレイに複数のトイレットペーパー片を保持した使用状態を示す斜視図である。
【符号の説明】
【００２３】
１    トイレットペーパーボックス
２    ボックス本体
３    トイレットペーパー片
４    トレイ
１１  供給口
１２  取出口
１３  正面
１４  切込部
１５  蓋板
１６  支持板
１７  背板
１８  突板
【要約】
【課題】使いやすく、資源を有効に利用することができ、また、トイレットペーパー片が濡れたりバラバラになったりするのを防ぐことができるトイレットペーパーボックスを提供する。
【解決手段】ボックス本体２が、上部に供給口１１を有し、下部に幅方向に伸びる取出口１２を有している。複数のトイレットペーパー片３が、取出口１２の幅以下の幅で所定の長さのトイレットペーパーを、ボックス本体２の奥行以下の折り返し長さに折り畳んで成っている。トレイ４が、蓋板１５と支持板１６とを有しボックス本体２の内部に供給口１１から取出し可能に収容されている。支持板１６は複数のトイレットペーパー片３を上下に重ねて支持し、取出口１２から最下部のトイレットペーパー片３を取り出し可能に位置付けられている。蓋板１５は供給口を塞いでいる。
【選択図】図１【図１】
0004229339.tif 000002
【図２】
0004229339.tif 000003
【図３】
0004229339.tif 000004
【図４】
0004229339.tif 000005